(57)【要約】【課題】  この考案は誰でも簡単に折り畳み収納可能で、且つ、保冷又は保温性に優れたＶ字折り畳み式保温カバーを開発・提供する事にある。【解決手段】  この課題を解決する為の手段として、上面と四側面を有する無底の矩形体であって、四側面のうち、高さ寸法が、横幅寸法の半分以下を有する、前側面と後側面に、それぞれ横幅の両上端から４５度又は機能する角度で下方中央に向かう、それぞれ折り畳み線となる斜めステッチで略Ｖ字状になるよう設け、又、左右両側面の下端部には面ファスナーとファスナー式バンドとバンド係止金具等からなる係止部材をそれぞれ縫着する事で、容易な折り畳み収納を可能にしたものである。【選択図】  図５
0003125352.tif 000002
【実用新案登録請求の範囲】
【請求項１】
折り畳み式コンテナ等の収納ケースに、収納した商品を、保冷又は保温するカバーであって、且つ、該カバー（１）は上面と四側面を有する無底の矩形体であって、四側面のうち、高さ寸法（Ｈ）が、横幅寸法（Ｌ）の半分以下を有する、前側面と後側面に、それぞれ横幅の両上端から４５度又は機能する角度で下方中央に向かう、それぞれ折り畳み線となる斜めステッチ（Ｓａ）（Ｓａ’）で略Ｖ字状又は略Ｖ字状に似た形状になるよう設け、又、左右両側面の下端部には面ファスナー（Ｆ）とファスナー式バンド（ＦＢ）とバンド係止金具（Ｋ）等からなる係止部材をそれぞれ縫着する事により容易な折り畳み可能な保温カバー。
【考案の詳細な説明】
【技術分野】
【０００１】
この考案は、折り畳み可能な保温カバーに関するものである。
【背景技術】
【０００２】
従来、折り畳み式コンテナ等の収納ケースで輸送されて来た商品は、不良品防止の為、店舗に到着の都度、保冷用バッグに積み替えていた。その為、作業時間が増え、積み替え待ちの間に商品が劣化し、不良品発生を招く等の問題があった。
【０００３】
又、折り畳み式コンテナに仕分けされた荷物を大型のシッパで運ぶ事で、空間の無駄を発生させていた。又、空間が大きすぎる為に品質・温度管理が適切に行われていなかった。
【０００４】
そこで、これまでに出願されている保温カバーに関する特許文献を参考の為、紹介する。  （特許文献１〜４参照。）
【特許文献１】特開２０００−２２６０７５
【特許文献２】特開２００２−１０４５４３
【特許文献３】特開２００２−１０４５４４
【特許文献４】特開２００３−２００９８１
【考案の開示】
【考案が解決しようとする課題】
【０００５】
そこで、上記課題を解決する為に、この考案は誰でも簡単に折り畳み収納可能で、且つ、保冷又は保温性に優れた折り畳み可能な保温カバーを開発・提供する事にある。
【課題を解決するための手段】
【０００６】
この課題を解決する為の手段として、上面と四側面を有する無底の矩形体であって、四側面のうち、高さ寸法が、横幅寸法の半分以下を有する、前側面と後側面に、それぞれ横幅の両上端から４５度又は機能する角度で下方中央に向かう、それぞれ折り畳み線となる斜めステッチで略Ｖ字状になるよう設け、又、左右両側面の下端部には面ファスナーとファスナー式バンドとバンド係止金具等からなる係止部材をそれぞれ縫着する事で、容易な折り畳み収納を可能にしたものである。
【考案の効果】
【０００７】
この考案の効果として、上面と四側面を有する無底の矩形体であって、四側面のうち、高さ寸法が、横幅寸法の半分以下を有する、前側面と後側面に、それぞれ横幅の両上端から４５度又は機能する角度で下方中央に向かう、それぞれ折り畳み線となる斜めステッチで略Ｖ字状になるよう設け、又、左右両側面の下端部には面ファスナーとファスナー式バンドとバンド係止金具等からなる係止部材をそれぞれ縫着する事で、誰でも容易に折り畳み収納が可能と成り、且つ、作業時間の短縮や、作業スペースの有効利用等、作業性・安全性・経済性面で極めて有益なる効果を奏するものである。
【考案を実施するための最良の形態】
【０００８】
この考案の最良の形態として、使用する収納ケースの大きさに適合し、且つ、誰でも簡単に素早く折り畳み可能で、且つ、保冷・保温性に優れ、破損し難い耐久性の良いカバー構造を形成する事が重要である。
【実施例１】
【０００９】
そこで、この考案の一実施例を図１〜図５に基づいて詳述すると、折り畳み式コンテナ等の収納ケースに、収納した商品を、保冷又は保温するカバーであって、且つ、該カバー（１）は上面と四側面を有する無底の矩形体であって、四側面のうち、高さ寸法（Ｈ）が、横幅寸法（Ｌ）の半分以下を有する、前側面と後側面に、それぞれ横幅の両上端から４５度又は機能する角度で下方中央に向かう、それぞれ折り畳み線となる斜めステッチ（Ｓａ）（Ｓａ’）で略Ｖ字状になるよう設け、又、左右両側面の下端部には面ファスナー（Ｆ）とファスナー式バンド（ＦＢ）とバンド係止金具（Ｋ）等からなる係止部材をそれぞれ縫着する事により容易な折り畳み可能な保温カバーから構成される。
【００１０】
次に、この考案の詳細について説明すると、まず、カバー（１）の構造はアルミ箔とアルミ箔の間に断熱材を重合し、縫い合わせて箱形状を形成し、強度を確保する為に各枠縁部を厚布帯で縫い合わせて補強している。
【００１１】
そして、図1に示す様にカバー（１）の上面部には、冷却材（Ｃ）を入れる為の取手（４ａ）付開閉蓋（４）と収納口（１ｂ）が設けられ、内部には網状の袋（５）が縫着され、且つ、該袋（５）の上部に二箇所の面ファスナー（Ｆ）（Ｆ）でそれぞれ固着可能な吸水用パッド（６）が設けられている。
【００１２】
又、カバー（１）の上面四辺部には、収納ケース（ＣＯ）底面四辺の凹部に適合する横ズレ防止用ガイドストッパー（２）（２）（３）（３）がそれぞれ設けられているが、この横ズレ防止用ガイドストッパー部分に関しては、本件とは別に実用新案登録出願を申請中である。
【００１３】
又、カバー（１）の前後両側面部には、折り畳み易くする為に、横幅の両上端から４５度又は機能する角度で下方中央に向かう、それぞれ折り畳み線となる斜めステッチ（Ｓａ）（Ｓａ’）で略Ｖ字状又は略Ｖ字状に似た形状になる様設け、且つ、左右両側面の下端部には、折り畳んで収納時に使用する、面ファスナー（Ｆ）とファスナー式バンド（ＦＢ）とバンド係止用金具（Ｋ）がそれぞれ設けられ、又、左右両側面上端部には、カバー取り外し時の取手（７）（７）がそれぞれ設けられている。
【００１４】
又、図６はカバーを上下逆さに反転させて折り畳む時の要領手順を示す平面図で、最初に前後両側面部を略Ｖ字状の折り畳み線（ＦＬ）に習って内向きにそれぞれ折り畳み、次に左右両側面部を内向きにそれぞれ折り畳み、最後に面ファスナー（Ｆ）とファスナー式バンド（ＦＢ）とバンド係止用金具（Ｋ）を使用して固着する。
【００１５】
次に、この考案の使用方法について説明すると、図７に示す様に、下敷きシートの上に商品の入った収納ケース（ＣＯ）を置き、その上からカバー（１）を被せ、更に商品（Ｍ）の入った収納ケース（ＣＯ）を置き、その上にカバー（１）を被せる。更に段数が増える場合も、上記と同じ要領で行うが、段積みする場合はカバー（１）の上面四辺部に設けた横ズレ防止用ガイドストッパー（２）（２）（３）（３）部に収納ケース（ＣＯ）の底面四辺の凹部が確実に嵌着する様に乗せる。尚、保冷時には、予めカバー（１）内部の袋（５）の中には、冷却材（Ｃ）を入れておく必要がある場合もある。
【実施例２】
【００１６】
その他の事例として、図８に示す様にカバー（１）の上面部には、冷却材（Ｃ）収納用の開閉蓋（４）と袋（５）と吸水用パッド（６）は無く、代わりにカバーの内部側面に袋（８）を設けたタイプの物もある。更に、保冷性能を強く求めない場合には、冷却材を必要とせず、よって袋（8）も無いタイプも有る。
【産業上の利用可能性】
【００１７】
この考案の折り畳み可能な保温カバーは、誰でも簡単に折り畳み収納可能で、且つ、保冷又は保温性に優れている為、多くの食品業界及び運輸関係市場に寄与する点で産業上の利用可能性を有する。
【図面の簡単な説明】
【００１８】
【図１】この考案の一実施例を示し、（Ａ）は平面図で、（Ｂ）は正面図である。
【図２】この考案の一実施例を示し、（Ａ）は右側面図で、（Ｂ）は左側面図である。
【図３】この考案の一実施例を示し、（Ａ）は底面図で、（Ｂ）は図1（Ａ）のａ−ａ矢視断面図である。
【図４】この考案の一実施例を示し、図1（Ｂ）のｂ−ｂ矢視断面図である。
【図５】この考案の一実施例を示し、斜視図である。
【図６】この考案の使用例を示し、折り畳み要領手順を示す、平面図である。
【図７】この考案の使用例を示し、下敷きシートとカバー装着要領を示す斜視図である。
【図８】その他の実施例を示し、斜視図である。
【符号の説明】
【００１９】
１  カバー
１ａ  断熱シート
１ｂ  冷却材収納口
１’  カバー
１’ａ  断熱シート
２  ガイドストッパー（縦側）
３  ガイドストッパー（横側）
４  開閉蓋
４ａ  取手
５  袋
６  吸水用パッド
７  取手
８  袋
Ｃ  冷却材
ＣＯ  収納ケース
Ｆ  面ファスナー
ＦＢ  ファスナー式バンド
ＦＬ  折り畳み線
Ｋ  バンド係止用金具
Ｌ  縦
Ｈ  高さ
Ｍ  商品
Ｓａ  斜めステッチ
Ｓａ’  斜めステッチ
ＵＳ  下敷きシート
Ｗ  横
【図１】
0003125352.tif 000003
【図２】
0003125352.tif 000004
【図３】
0003125352.tif 000005
【図４】
0003125352.tif 000006
【図５】
0003125352.tif 000007
【図６】
0003125352.tif 000008
【図７】
0003125352.tif 000009
【図８】
0003125352.tif 000010